(57)【要約】      （修正有）【課題】物品の収納保管機能と、物品の上下左右前後姿勢を保ち移行する機能を兼ね備えた機械構造を提供する。【解決手段】棚保持軸と、棚９の上下左右方向を保つ棚方向用軸を組み立てた制御用部品８を、棚９の左右、外側に、左右対称にして設け、手動、または、電動機により回転する回転軸１に、左右対称に棚９の移行に用いる移行スプロケット２を設ける。この左右対称の右側に、棚９の上下左右方向を保つための制御スプロケット３を移行スプロケット２と連動させ、移行スプロケット２に対して、左右に偏芯して設け、移行スプロケット２に掛かって動くローラーチェーン６の一部に棚保持軸を取り付け、制御スプロケットに掛かって動くローラーチェーン７の一部に棚方向用軸をとりつける。【選択図】図１
0003213503.tif 000002
【実用新案登録請求の範囲】
【請求項１】
機械構造により物品の収納保管と物品を収納保管する箱状体、または、棚状体（以後、箱状体、または、棚状体を棚と記す）が移動、または、運行（以後、移動、または、運行を移行と記す）し、したがって、収納保管物品が移行する機械構造において、棚を移行することに用いる移行用ローラーチェーンと、それに従動して棚の上下左右前後方向を保持することに用いる制御ローラーチェーンにより棚の上下左右前後方向を保持して移行するにあたり、移行用ローラーチェーンと制御ローラーチェーンを偏芯させる必要に応じ、移行用ローラーチェーンスプロケットと制御ローラーチェーンスプロケットを、上下または左右に偏芯させるにさいし、偏芯間隔長さ、いわゆる、偏芯量が短小であることの必要に応じた構造とし、棚の上下左右前後方向を保持し、物品収納保管と棚の移行を兼ね備えた、物品の収納保管と物品を収納保管する棚が移行する機械構造
【考案の詳細な説明】
【技術分野】
【０００１】  物品の収納保管と、物品の移行に関する。
【背景技術】
【０００２】  従来、物品収納保管する設備装置と、別に、物品の移行を行う装置機器、すなわち、コンベアー、運搬移行台車、荷車等。また、事務所においては人手によめる移行が主である。
【考案の概要】
【考案が解決しようとする課題】
【０００３】  物品収納保管する機能と、物品の移行機能を備えた機械構造において、物品を収納保管するにあたり、物品の上下左右前後方向を保持する必要がある物品が存在する。また、物品において、取り扱い上、手が届く範囲に物品を収納保管することがもとめられる場合が存在する。したがって、物品を収納保管する棚の上下左右前後方向を保持し、手が届く位置に物品の移行を行う必要がある。医院におけるカルテ、官公署、事務所の書類等。なお、それらを、現状では、利用者の手が届く範囲に設けているゆえ、各室の上部空間の手が届かない場所の利用を欠く。自動倉庫形態の場合、物品の移行装置と収納保管装置は多くの場合、別である。
【考案を解決するための手段】
【０００４】  機械構造により物品の収納保管と物品を収納保管する箱状体、または、棚状体（以後、箱状体、または、棚状体を棚と記す）が移動、または、運行（以後、移動、または、運行を移行と記す）し、したがって、収納保管物品が移行する機械構造において、棚を移行することに用いる移行用ローラーチェーンと、それに従動して棚の上下左右前後方向を保持することに用いる制御ローラーチェーンにより棚の上下左右前後方向を保持して移行するにあたり、移行用ローラーチェーンと制御ローラーチェーンを偏芯させる必要に応じ、移行用ローラーチェーンスプロケットと制御ローラーチェーンスプロケットを、上下または左右に偏芯させるにさいし、偏芯間隔長さ、いわゆる、偏芯量が短小であることの必要に応じた構造とし、棚の上下左右前後方向を保持し、物品収納保管と棚の移行を兼ね備えた、物品の収納保管と物品を収納保管する棚が移行する機械構造。そのさい、ローラーチェーンを用いる構造に代わりコンベアーチェーン、または特殊チェーン、および歯付きベルト、並びにワイヤロープ等の可撓性材を用いる構造にすることができる。また、ローラーチェーンスプロケットに代わりローラーチェーンガイドレールを用いることができる。以後、ローラーチェーンまたは、コンベアーチェーン、特殊チェーン、および歯付きベルト、並びにワイヤロープ等の可撓性材の代称のとしてチェーンと記す。なお、以後、移行用ローラーチェーンを移行チェーンと記し、制御用ローラーチェーンを制御チェーンと記し、移行用ローラーチェーンスプロケットを移行スプロケットと、制御ローラーチェーンスプロケットを制御スプロケットと記す。
【考案の効果】
【０００５】  本機械構造利用による効果は多岐にわたる。その代表として、その１、汚染水処理。その２、書籍書類資料保管においては、官公署、各事務所。その３、物品製造場における部品保管、治工具保管、部品の先入れ後出し防止。その４、物品の加熱乾燥。その５、工場、事務所、住宅において、上部空間有効利用、上下階層間の物品の移行。その６、自動車、単車、自転車の立体駐車装置、また、観覧車。以上、多岐にわたる。
【図面の簡単な説明】
【０００６】  図面の簡単な説明を行うにあたり、収納保管移行方向構造が、上下、または、左右、および、斜め構造があるのを代表として上下構造を示して説明する。くわえて、移行スプロケットと制御スプロケットの偏芯方向が上下、または、左右ならびに、斜め方向に偏芯する構造の代表として左右方向偏芯構造を示して説明する。
【図１】本構造の上部右側を示し、その対称構造の下部と左側を省略した図である。
【図２】棚の図である。
【図３】クランク形部品部図である。
【図４】本機械構造の応用例図である。
【図５】棚の図である。
【考案を実施するための形態】
【０００７】以下、機械構造の実施の形態を図１から図５に示して説明する。このさい、図１においては、上下方向移行、左右方向移行、円形状、または、斜め方向移行構造を代表して上下方向移行構造において移行チェーンスプロケットの右側にｘｃｍ偏芯して制御チェーンスプロケットを配する構造を示す。そのさい、伝導軸とガイドローラー軸、および軸受けを略す。なお、右側と左側、および、上下の構造は対称であるため、右側の上部を主に記す。図４は、本機械構造の応用例である。すなわち、棚の移行構造において、左右の移行チェーンの偏芯量が短小であることの必要性に応じた機械構造である。このさい、制御チェーン、および、制御スフロケットを必要としない。図１における制御チェーン、および、制御スフロケットを移行チェーンおよび、制御スプロケットとして用いる。
【実施例】
【０００８】  図１において１の回転軸に２の移行スプロケットを取り付ける。３の制御スプロケットは回転軸を有さず、移行スプロケット２と３の制御スプロケットを４のクランク形部品で連列する。そのさい、２の移行スプロケットと３の制御スプロケットは４のクランク形部品により、ｘｃｍ偏芯した状態で回転する。３の制御スプロケットは５のガイドローラーにより保持されて回転する。この際、５のガイドローラーに代わりガイドレールを用いることが可能である。本機械構造による２の移行スプロケットは回転軸が必要である。しかし、３の制御スプロケットは２の移行スプロケットに連動する構造であり回転軸を必要としない。それゆえ、２の移行スプロケットと３の制御スプロケット偏芯量を短小にすることが可能である。１ｃｍ偏芯も可能である。一例として、奥行２５ｃｍ、高き３５ｃｍの棚の場合の偏芯量ｘは２．５ｃｍから４ｃｍにすることができる。そのほか、棚と機械構造上から適正ｘを決める必要がある。なお、偏芯方向は上下、左右、斜め方向等、総て可能である。本図において、回転軸、ガイドローラー軸の軸受け、および、軸受けの取り付け部図を省略する。６の移行チェーンと７の制御チェーンはｘｃｍ偏芯している。６の移行チェーンと７の制御チェーンに８の制御用部品を、６の移行チェーンと７の制御チェーン間に跨って取り付ける。８の制御用部品に９の棚を取り付け、９の棚に１０の収納保管物品を収納保管する。以上において、４のクランク形部品と２の移行スプロケット、３の制御スプロケットの間、および、８の制御用部品と、６と７のチェーンとの間において回転可能である。
図４の機械構造について、２’の移行スプロケットと、図１における移行スプロケットにあたる１２の回転円盤を回転軸１’に取り付け、１２の回転円盤と３’の移行スプロケットを４’のクランク形部品で連結し、３’の移行スプロケットを２’の移行スプロケットの上方にｙｃｍ偏芯させ回転させる。これにより、左右の移行スプロケットは上下にｙｃｍ偏芯する。９’の棚を１３の制御用部品により、２’と３’の移行スプロケットに取り付ける。このさい、１３の制御用部品と２’と３’の移行チェーンの間おいて、回転可能とする。もって、左右の移行チェーンは棚の前後上下方向を保持して移行を行う。なお、以上において、４’のクランク形部品と１２の回転円盤と３’の移行スプロケットの間においては回転可能である。偏芯量ｙの一例として。奥行２５ｃｍ、高き３５ｃｍの棚の場合の偏芯量ｙは５ｃｍから７ｃｍにすることができる。そのほか、棚と機械構造上から適正ｙを決める必要がある。
【産業上の利用可能性】
【０００９】  本機械構造の産業上利用は多岐にわたる。その１、商店の商品展示と収納保管、事務、事務所の合理化。その２、各室、各商店、各工場の上部空間活用。その３、物品製造場、商店における部品、商品の先入れ後出し防止。その４、物品の加熱乾燥。その５、上下階層間の物品の移行、書類、資料の共有化。その６、病院のカルテ整理、保管。その７、自動車、単車、自転車の立体駐車、観覧車。
【符号の説明】
【０００８】  １    回転軸
１’  回転軸
２    移行スプロケット
２’  移行スプロケット
３    制御スプロケット
３’  制御スプロケット
４    クランク形部品
４’  クランク形部品
５    ガイドローラー
５’  ガイドローラー
６    移行チェーン
６’  移行チェーン
７    制御チェーン
７’  移行チェーン
８    制御用部品
９    棚
９’  棚
１０  収納保管物品
１１  ガイドローラー軸
１１’  ガイドローラー軸
１２  移行スプロケットに代わる回転円盤
１３  棚保持軸
Ｘ    偏芯量
Ｙ    偏芯量
【図１】
0003213503.tif 000003
【図２】
0003213503.tif 000004
【図３】
0003213503.tif 000005
【図４】
0003213503.tif 000006
【図５】
0003213503.tif 000007
【手続補正書】
【提出日】平成29年8月29日(2017.8.29)
【手続補正１】
【補正対象書類名】実用新案登録請求の範囲
【補正対象項目名】全文
【補正方法】変更
【補正の内容】
【実用新案登録請求の範囲】
【請求項１】
機械構造により物品を収納保管する箱、または、棚（以後、物品を収納保管する箱、または、棚を棚と記す）を移動、または、運行（以後、移動、または、運行を移行と記す）を行うにあたり、棚の上下左右方向を保って移行を行う機械構造とするにおいて、棚保持軸と、棚の上下左右方向を保つ軸（以後、棚の上下左右方向を保つ軸を棚方向用軸と記す）を組み立てた制御用部品を、棚の左右、外側に、左右対称にして設け、棚の上下左右方向を保ち移行を行う構造としては、手動、または、電動機により回転する回転軸に、左右対称に棚の移行に用いるローラーチェーンスプロケット（以後、棚の移行に用いるローラーチーンスプロットを移行スプロケットと記す）を設け、この左右対称の右側について、棚の上下左右方向を保つためのローラーチェーンスプロケット（以後、棚の上下左右方向を保つためのローラーチェーンスプロケットを、制御スプロケットと記す）を移行スプロケットと連動させ、移行スプロケットに対して、左右に偏芯して設け、移行スプロケットに掛かって動くローラーチェーンの一部に棚保持軸を取り付け、制御スプロケットに掛かって動くローラーラーチェンの一部に棚方向用軸をとりつけ、そのさい、棚保持軸と棚方向用軸を各ローラーチェーンに取り付ける位置は、上下移行構造においては、左右一列並行に取り付け、各軸と各ローラーチェーンの取り付け部において回転可能とする機械構造。